(57)【特許請求の範囲】
【請求項１】
基板同士を電気的に接続するために用いられ、リセプタクルコネクタとプラグコネクタとが嵌合してなる電気コネクタにおいて、リセプタクルコネクタまたはプラグコネクタのいずれか一方には突起を有するロック部が形成され、リセプタクルコネクタまたはプラグコネクタの他方には前記ロック部が係止するロック穴が設けられ、前記突起、前記ロック部または前記ロック穴は、リセプタクルコネクタを基板に固定するためのホールドダウン、またはプラグコネクタを基板に固定するためのホールドダウンに形成され、弾性材料で形成された前記ロック部は、インシュレータに固定される部分である固定部と可動部分とを有し、前記可動部分には前記突起が前記ロック穴に係止する際に当接する突出部と先端に前記突起とを設けるとともに、前記ロック部が形成された位置に対応する領域に開口が設けられた基板に、リセプタクルコネクタまたはプラグコネクタが接続されることを特徴とする電気コネクタ。
【請求項２】
基板同士を電気的に接続するために用いられ、リセプタクルコネクタとプラグコネクタとが嵌合してなる電気コネクタにおいて、リセプタクルコネクタまたはプラグコネクタのいずれか一方にはロック穴を有するロック部が形成され、リセプタクルコネクタまたはプラグコネクタの他方には前記ロック穴に係止する突起が設けられ、前記突起、前記ロック部または前記ロック穴は、リセプタクルコネクタを基板に固定するためのホールドダウン、またはプラグコネクタを基板に固定するためのホールドダウンに形成され、弾性材料で形成された前記ロック部は、インシュレータに固定される部分である固定部と可動部分とを有し、前記可動部分には前記突起が前記ロック穴に係止する際に当接する突出部と先端に前記ロック穴とを設けるとともに、前記ロック部が形成された位置に対応する領域に開口が設けられた基板に、リセプタクルコネクタまたはプラグコネクタが接続されることを特徴とする電気コネクタ。
【請求項３】
リセプタクルコネクタの前記突起、前記ロック部または前記ロック穴が形成される領域には、リセプタクルコネクタの上面と底面を貫通する開口が設けられていることを特徴とする請求項１または２記載の電気コネクタ。
【発明の詳細な説明】
【技術分野】
【０００１】
本発明は、プリント基板やフレキシブルプリント基板（以下、「ＦＰＣ」と略記する）などの基板同士を電気的に接続するために用いられる電気コネクタに関する。
【背景技術】
【０００２】
プリント基板やＦＰＣなどの基板同士を電気的に接続する用途で、電気コネクタがよく用いられている。この電気コネクタとして、インシュレータに多数の導電性のコンタクトを整列し、そのインシュレータの両端に金属製のホールドダウンを取り付けたコネクタが知られている。このような構造の電気コネクタは、取り付け対象物である基板やＦＰＣに、ホールドダウンを半田付けして固定されるため、衝撃を受け易い機器、例えば、携帯機器などに使用されている。
基板接続用の電気コネクタについて、様々な工夫がなされており、その一例が、特許文献１、特許文献２、特許文献３、特許文献４に記載されている。
【０００３】
【特許文献１】特開平９−２５９９７８号公報
【特許文献２】特開平１１−７４０２４号公報
【特許文献３】特開２００３−２９７４８５号公報
【特許文献４】特開２００４−５５３０６号公報
【発明の開示】
【発明が解決しようとする課題】
【０００４】
基板接続用の電気コネクタは通常、リセプタクルコネクタとプラグコネクタとが嵌合することによって電気的接続がなされるが、リセプタクルコネクタとプラグコネクタとの係止は、それぞれのコネクタの端子同士の係止によって実現されていた。
しかし、近年の装置の小型化の傾向に伴って、電気コネクタについても小型化、低背化の要求が強く、端子の寸法も小さくならざるを得ない状況となっている。そのため、端子に充分な弾性を持たせることができず、コネクタ同士を確実に係止することが困難となっている。
【０００５】
このように、振動、衝撃、落下に対する要求水準が高い現状においては、これらの過酷な条件下においても、確実に係止できるコネクタが必要となる。
また、一旦接続されたコネクタは、必要に応じて接続を解除することが容易に行えるようにすることが、操作上便利である。
本発明は、このような事情を考慮してなされたもので、小型化、低背化に対応した電気コネクタであっても、振動などが生じても強固に接続され、接続を解除することも容易である電気コネクタを提供することを目的とする。
【課題を解決するための手段】
【０００６】
以上の課題を解決するために、本発明の電気コネクタは、基板同士を電気的に接続するために用いられ、リセプタクルコネクタとプラグコネクタとが嵌合してなる電気コネクタにおいて、リセプタクルコネクタまたはプラグコネクタのいずれか一方には突起を有するロック部が形成され、リセプタクルコネクタまたはプラグコネクタの他方には前記ロック部が係止するロック穴が設けられ、前記突起、前記ロック部または前記ロック穴は、リセプタクルコネクタを基板に固定するためのホールドダウン、またはプラグコネクタを基板に固定するためのホールドダウンに形成され、弾性材料で形成された前記ロック部は、インシュレータに固定される部分である固定部と可動部分とを有し、前記可動部分には前記突起が前記ロック穴に係止する際に当接する突出部と先端に前記突起とを設けるとともに、前記ロック部が形成された位置に対応する領域に開口が設けられた基板に、リセプタクルコネクタまたはプラグコネクタが接続されることを特徴とする。
【０００７】
また、本発明の電気コネクタは、基板同士を電気的に接続するために用いられ、リセプタクルコネクタとプラグコネクタとが嵌合してなる電気コネクタにおいて、リセプタクルコネクタまたはプラグコネクタのいずれか一方にはロック穴を有するロック部が形成され、リセプタクルコネクタまたはプラグコネクタの他方には前記ロック穴に係止する突起が設けられ、前記突起、前記ロック部または前記ロック穴は、リセプタクルコネクタを基板に固定するためのホールドダウン、またはプラグコネクタを基板に固定するためのホールドダウンに形成され、弾性材料で形成された前記ロック部は、インシュレータに固定される部分である固定部と可動部分とを有し、前記可動部分には前記突起が前記ロック穴に係止する際に当接する突出部と先端に前記ロック穴とを設けるとともに、前記ロック部が形成された位置に対応する領域に開口が設けられた基板に、リセプタクルコネクタまたはプラグコネクタが接続されることを特徴とする。
【０００８】
リセプタクルコネクタまたはプラグコネクタのいずれか一方には突起を有するロック部が形成され、リセプタクルコネクタまたはプラグコネクタの他方には前記ロック部が係止するロック穴が設けられていることにより、小型化、低背化に対応した電気コネクタであっても強固に接続されるため、振動などが生じてもリセプタクルコネクタとプラグコネクタとの嵌合状態が維持される。
【０００９】
同様に、リセプタクルコネクタまたはプラグコネクタのいずれか一方にはロック穴を有するロック部が形成され、リセプタクルコネクタまたはプラグコネクタの他方には前記ロック穴に係止する突起が設けられていることにより、小型化、低背化に対応した電気コネクタであっても強固に接続されるため、振動などが生じてもリセプタクルコネクタとプラグコネクタとの嵌合状態が維持される。
【００１０】
また、これらのロック部が形成された位置に対応する領域に開口が設けられた基板に、リセプタクルコネクタまたはプラグコネクタが接続されることにより、この開口を介してリセプタクルコネクタとプラグコネクタとのロック機構の解除を容易に行うことができる。
上記の突起、ロック部またはロック穴は、リセプタクルコネクタを基板に固定するためのホールドダウン、またはプラグコネクタを基板に固定するためのホールドダウンに形成している。
【００１１】
本発明において、リセプタクルコネクタの前記突起、前記ロック部または前記ロック穴が形成される領域には、リセプタクルコネクタの上面と底面を貫通する開口を設けることもできる。
リセプタクルコネクタの上面と底面を貫通する開口を設ければ、この開口の位置に合わせて、リセプタクル側基板に基板穴を設けておくと、この基板穴を介して、リセプタクルコネクタの突起とプラグコネクタのロック穴との係止を冶具等を用いて解除することで、リセプタクルコネクタとプラグコネクタとの嵌合を容易に解除することができる。
【００１２】
本発明においては、前記突起が前記ロック穴に係止する際に当接する突出部を、前記ロック部または前記ロック部が対向する面に設けたことを特徴とする。
リセプタクルコネクタとプラグコネクタとの嵌合が完了する直前にロック部の弾性変形量が最大となり、リセプタクルコネクタとプラグコネクタとの嵌合が完了したときにロック部が一気にもとの位置に戻るが、この際に、突出部とホールドダウンとが勢いよく接触することによって音が発生し、リセプタクルコネクタとプラグコネクタとの嵌合が完了したことを確認することができる。
【発明の効果】
【００１３】
本発明によると、小型化、低背化に対応した電気コネクタであっても強固に接続されるため、振動などが生じてもリセプタクルコネクタとプラグコネクタとの嵌合状態が強固に維持されるとともに、リセプタクルコネクタとプラグコネクタとの嵌合の解除も容易に行うことができる。
【発明を実施するための最良の形態】
【００１４】
以下、本発明の電気コネクタをその実施形態に基づいて説明する。なお、以下の図面に基づく説明においては、同一の名称のものに同一の符号を用いている。
図１、図２、図３に、本発明の第一実施形態に係る電気コネクタの構造を示す。図１（ａ）はリセプタクルコネクタの平面図、（ｂ）はその正面図、（ｃ）はその底面図、（ｄ）は（ｂ）のｅ方向から見た側面図である。図２は、プラグコネクタの平面図、（ｂ）はその正面図、（ｃ）はその底面図、（ｄ）は（ｂ）のｅ方向から見た側面図である。また、図３（ａ）は、プラグコネクタを嵌合側から見た斜視図であり、図３（ｂ）は、リセプタクルコネクタを嵌合側から見た斜視図である。
【００１５】
図１、図３に示すリセプタクルコネクタ１には、左右一対となった導電性のリセプタクル側端子２が、ピッチ方向に複数組配置されている。また、リセプタクルコネクタ１の端部の４カ所に、リセプタクル側ホールドダウン３、３ａが設けられている。
リセプタクルコネクタ１の底面側には、図１（ｃ）に示すように、弾性材料で形成されるロック部４が形成されている。このロック部４は、インシュレータに固定される部分である固定部と可動部分とを有し、可動部分には突出部８と先端に突起５とが設けられている。なお、本実施形態においては、ロック部４はホールドダウン３ａと一体に形成されている。また、ロック部４が形成される領域には、リセプタクルコネクタ１の上面と底面を貫通する開口６が設けられている。
リセプタクルコネクタ１は、基板またはＦＰＣ等に対してリセプタクル側端子２を半田付けすることなどによって電気的に接続されるとともに、リセプタクル側ホールドダウン３、３ａも、基板またはＦＰＣ等に半田付けすることなどによって固定される。
【００１６】
図２、図３に示すプラグコネクタ１１には、左右一対となった導電性のプラグ側端子１２が、ピッチ方向に複数組配置されている。また、プラグコネクタ１１の側面側端部に、プラグ側ホールドダウン１３が設けられている。プラグ側ホールドダウン１３の下端には接続片１３ａが設けられており、接続片１３ａの上方にはロック穴１４が設けられている。
プラグコネクタ１１は、基板またはＦＰＣ等に対してプラグ側端子１２を半田付けすることなどによって電気的に接続されるとともに、プラグ側ホールドダウン１３も、基板またはＦＰＣ等に半田付けすることなどによって固定される。
【００１７】
図４に、リセプタクルコネクタとプラグコネクタとを嵌合した状態を示す。図４（ａ）は、リセプタクルコネクタをプラグコネクタと嵌合する側から見た図であり、（ｂ）は側面図であり、（ｃ）はリセプタクルコネクタを底面側から見た図である。
異なる基板またはＦＰＣ等にそれぞれ実装されたリセプタクルコネクタ１とプラグコネクタ１１は、図４に示すように、互いに嵌合されることにより、それぞれの基板またはＦＰＣ等をリセプタクル側端子２及びプラグ側端子１２を介して電気的に接続する。
【００１８】
図４（ｃ）のＡ−Ａ断面を、図５に示す。
リセプタクルコネクタ１に形成されたロック部４先端の突起５は、プラグコネクタ１１に設けられたロック穴１４に係止して、リセプタクルコネクタ１とプラグコネクタ１１とが係止されている。
この突起５がロック穴１４に係止する様子を、図６から図８に基づいて説明する。
【００１９】
図６は、リセプタクルコネクタ１とプラグコネクタ１１とが嵌合する前の状態を示し、図７は、リセプタクルコネクタ１とプラグコネクタ１１とを嵌合する途中の状態を示し、図８は、リセプタクルコネクタ１とプラグコネクタ１１との嵌合が完了した状態を示す。
図６において、（ａ）は、リセプタクルコネクタ１に取り付けられた基板（以下、「リセプタクル側基板」と略記する）２１の側から見た図であり、（ｂ）は、（ａ）のＢ−Ｂ断面図であり、（ｃ）は、（ａ）に示すロック部４を拡大して示す図であり、（ｄ）は、（ｂ）の係止部を拡大して示す図である。
【００２０】
リセプタクルコネクタ１はリセプタクル側基板２１に取り付けられ、プラグコネクタ１１はプラグ側基板３１に取り付けられている。リセプタクルコネクタ１のロック部４は、リセプタクルコネクタ１の凹部７とプラグコネクタ１１の凸部１５とが嵌合する際に、プラグコネクタ１１のプラグ側ホールドダウン１３に対向するように設けられており、突起５は、リセプタクルコネクタ１の凹部７に突出するように形成されている。
リセプタクルコネクタ１とプラグコネクタ１１は、リセプタクルコネクタ１のロック部４と、プラグコネクタ１１のロック穴１４の位置が合うように、リセプタクルコネクタ１とプラグコネクタ１１とが嵌合されて、図７に示す状態を経て図８に示す状態となる。
【００２１】
図７において、（ａ）は、リセプタクル側基板２１の側から見た図であり、（ｂ）は、（ａ）のＢ−Ｂ断面図であり、（ｃ）は、（ａ）に示すロック部４を拡大して示す図であり、（ｄ）は、（ｂ）の係止部を拡大して示す図である。
図７に示すものは、リセプタクルコネクタ１とプラグコネクタ１１とが嵌合される途中であり、リセプタクルコネクタ１の突起５がプラグ側ホールドダウン１３の縁に接触してロック部４が弾性変形して変位しているが、リセプタクルコネクタ１の突起５と、プラグコネクタ１１のロック穴１４の位置がコネクタの高さ方向で合致していないため、まだ係止されていない。
【００２２】
図８は、リセプタクルコネクタ１の突起５がプラグコネクタ１１のロック穴１４に係止されて、リセプタクルコネクタ１とプラグコネクタ１１との嵌合が完了した状態を示しており、（ａ）は、リセプタクル側基板２１の側から見た図であり、（ｂ）は、（ａ）のＢ−Ｂ断面図であり、（ｃ）は、（ａ）に示すロック部４を拡大して示す図であり、（ｄ）は、（ｂ）の係止部を拡大して示す図である。
【００２３】
図８に示す状態のものにおいては、リセプタクルコネクタ１の突起５と、プラグコネクタ１１のロック穴１４の位置が合致し、ロック部４がもとの位置に戻ることによって、リセプタクルコネクタ１の突起５がプラグコネクタ１１のロック穴１４に係止されている。  なお、突起５は相手側コネクタと嵌合する側が細いテーパー形状になっており、リセプタクルコネクタ１とプラグコネクタ１１とが嵌合するに従って、ロック部４の弾性変位量が徐々に大きくなる。そして、リセプタクルコネクタ１とプラグコネクタ１１との嵌合が完了する直前にロック部４の弾性変形量が最大となり、リセプタクルコネクタ１とプラグコネクタ１１との嵌合が完了したときに一気にもとの位置に戻り、ロック部４の可動部分に設けられた突出部８とプラグ側ホールドダウン１３とが勢いよく接触することによって音が発生し、リセプタクルコネクタ１とプラグコネクタ１１との嵌合が完了したことを確認することが可能となる。
【００２４】
本発明においては、リセプタクルコネクタ１とプラグコネクタ１１との嵌合の途中において、嵌合前の状態から変位したロック部４が、その弾性によってもとの位置に戻ることによって、リセプタクルコネクタ１の突起５がプラグコネクタ１１のロック穴１４に係止されるため、特段の操作をすることなく、極めて容易にリセプタクルコネクタ１とプラグコネクタ１１とを嵌合することができる。
リセプタクルコネクタ１の突起５がプラグコネクタ１１のロック穴１４に係止されることにより、小型化、低背化が進んだ状況下においても、リセプタクルコネクタ１とプラグコネクタ１１との嵌合が強固となり、振動などの過酷な使用条件下でも、基板等の接続を強固に維持することができる。
【００２５】
また、リセプタクル側基板２１には、リセプタクルコネクタ１の開口６の位置に合わせて、ロック部４が形成された位置に対応する領域に基板穴２２を設けておくと、この基板穴２２を介して、リセプタクルコネクタ１の突起５とプラグコネクタ１１のロック穴１４との係止を、冶具等を用いて解除することで、リセプタクルコネクタ１とプラグコネクタ１１との嵌合を容易に解除することができる。
【００２６】
図９、図１０、に、本発明の第二実施形態に係る電気コネクタの構造を示す。図９（ａ）はリセプタクルコネクタの平面図、（ｂ）はその正面図、（ｃ）はその底面図、（ｄ）は（ｂ）のｅ方向から見た側面図である。図１０（ａ）は、プラグコネクタの平面図、（ｂ）はその正面図、（ｃ）はその底面図、（ｄ）は（ｂ）のｅ方向から見た側面図である。
図９に示すリセプタクルコネクタ１には、左右一対となった導電性のリセプタクル側端子２が、ピッチ方向に複数組配置されている。また、リセプタクルコネクタ１の端部の４カ所に、リセプタクル側ホールドダウン３ｂが設けられている。なお、リセプタクル側ホールドダウン３ｂは、図９（ｃ）に示されるように左右一体（図９においては上下）に形成され、その中間部分にはロック穴１４が設けられている。
リセプタクルコネクタ１は、基板またはＦＰＣ等に対してリセプタクル側端子２を半田付けすることなどによって電気的に接続されるとともに、リセプタクル側ホールドダウン３ｂも、基板またはＦＰＣ等に半田付けすることなどによって固定される。
【００２７】
図１０に示すプラグコネクタ１１には、左右一対となった導電性のプラグ側端子１２が、ピッチ方向に複数組配置されている。また、プラグコネクタ１１の側面側端部に、プラグ側ホールドダウン１３が設けられ、プラグ側ホールドダウン１３の下端には接続片１３ａが設けられている。
プラグコネクタ１１のプラグ側ホールドダウン１３には、弾性材料で形成されるロック部４が形成されており、このロック部４は、インシュレータに固定される部分である固定部と可動部分とを有し、可動部分には突出部８と先端に突起５とが設けられている。
プラグコネクタ１１は、基板またはＦＰＣ等に対してプラグ側端子１２を半田付けすることなどによって電気的に接続されるとともに、プラグ側ホールドダウン１３も、基板またはＦＰＣ等に半田付けすることなどによって固定される。
【００２８】
図１１は、リセプタクルコネクタ１とプラグコネクタ１１とが嵌合する前の状態を示しており、（ａ）は、プラグコネクタ側基板３１の側から見た図であり、（ｂ）は、（ａ）のＢ−Ｂ断面図であり、（ｃ）は、（ａ）に示すロック部４、突起５、突出部８を拡大して示す図であり、（ｄ）は、（ｂ）の係止部を拡大して示す図である。
リセプタクルコネクタ１はリセプタクル側基板２１に取り付けられ、プラグコネクタ１１はプラグ側基板３１に取り付けられている。プラグ側基板３１には、ロック部４が形成された位置に対応する領域に基板穴２２が設けられている。プラグコネクタ１１のロック部４は、リセプタクルコネクタ１の凹部７とプラグコネクタ１１の凸部１５とが嵌合する際に、リセプタクルコネクタ１のロック穴１４に対向するように設けられている。
【００２９】
プラグコネクタ１１のロック部４の突起５がリセプタクルコネクタ１のロック穴１４に係止されることによってロックされ、リセプタクルコネクタ１とプラグコネクタ１１とが嵌合される。また、プラグコネクタ１１のロック部４の可動部分には突出部８が設けられているため、突出部８とリセプタクル側ホールドダウン３とが勢いよく接触することによって音が発生し、リセプタクルコネクタ１とプラグコネクタ１１との嵌合が完了したことを確認することが可能となる。
【００３０】
図１２から図１４に示すものは、以上説明した実施形態におけるロック部とロック穴の形成の組み合わせを変形させた、他の実施形態に関するものである。
図１２（ａ）と、そのＣ−Ｃ断面図である図１２（ｂ）では、リセプタクルコネクタ１はリセプタクル側基板２１に取り付けられ、プラグコネクタ１１はプラグ側基板３１に取り付けられている。プラグ側基板３１には、リセプタクルコネクタ１とプラグコネクタ１１とが嵌合したときにロック部４が形成された位置に対応する領域に基板穴２２が設けられている。リセプタクルコネクタ１には、リセプタクルコネクタ１の凹部７とプラグコネクタ１１の凸部１５とが嵌合する際に、プラグコネクタ１１のプラグ側ホールドダウン１３に対向するようにロック部４が設けられており、突起５は、リセプタクルコネクタ１の凹部７に突出するように形成されている。プラグコネクタ１１のプラグ側ホールドダウン１３にはロック穴１４が設けられている。
【００３１】
リセプタクルコネクタ１のロック部４の突起５が、プラグコネクタ１１のロック穴１４に係止されることによってロックされ、リセプタクルコネクタ１とプラグコネクタ１１とが嵌合される。また、リセプタクルコネクタ１のロック部４の可動部分には凹部７に突出する突出部８が設けられているため、突出部８とプラグ側ホールドダウン１３とが勢いよく接触することによって音が発生し、リセプタクルコネクタ１とプラグコネクタ１１との嵌合が完了したことを確認することが可能となる。
【００３２】
図１３（ａ）と、そのＤ−Ｄ断面図である図１３（ｂ）では、リセプタクルコネクタ１はリセプタクル側基板２１に取り付けられ、プラグコネクタ１１はプラグ側基板３１に取り付けられている。リセプタクル側基板２１には、ロック部４が形成された位置に対応する領域に基板穴２２が設けられている。この基板穴２２に連通するように、開口６がリセプタクルコネクタ１に設けられている。リセプタクルコネクタ１には、ロック穴１４を有するロック部４が設けられている。また、プラグコネクタ１１には、リセプタクルコネクタ１の凹部７とプラグコネクタ１１の凸部１５とが嵌合する際に、リセプタクルコネクタ１のロック部４に対向するように突起５が設けられている。
【００３３】
プラグコネクタ１１の突起５が、リセプタクルコネクタ１のロック穴１４に係止されることによってロックされ、リセプタクルコネクタ１とプラグコネクタ１１とが嵌合される。また、リセプタクルコネクタ１のロック部４の可動部分には凹部７に突出する突出部８が設けられているため、突出部８とプラグ側ホールドダウン１３とが勢いよく接触することによって音が発生し、リセプタクルコネクタ１とプラグコネクタ１１との嵌合が完了したことを確認することが可能となる。
【００３４】
図１４（ａ）と、そのＥ−Ｅ断面図である図１４（ｂ）では、リセプタクルコネクタ１はリセプタクル側基板２１に取り付けられ、プラグコネクタ１１はプラグ側基板３１に取り付けられている。プラグ側基板３１には、ロック部４が形成された位置に対応する領域に基板穴２２が設けられている。プラグコネクタ１１には、ロック穴１４を有するロック部４が設けられている。また、リセプタクルコネクタ１には、リセプタクルコネクタ１の凹部７とプラグコネクタ１１の凸部１５とが嵌合する際に、プラグコネクタ１１のロック部４に対向するように突起５が設けられている。
【００３５】
リセプタクルコネクタ１の突起５が、プラグコネクタ１１のロック穴１４に係止されることによってロックされ、リセプタクルコネクタ１とプラグコネクタ１１とが嵌合される。また、プラグコネクタ１１のロック部４の可動部分には突出部８が設けられているため、突出部８とリセプタクル側ホールドダウン３とが勢いよく接触することによって音が発生し、リセプタクルコネクタ１とプラグコネクタ１１との嵌合が完了したことを確認することが可能となる。
【００３６】
なお、以上の説明におけるロック部４、突起５、ロック穴１４の形状は、図示する形状のものに限定されず、突起５がロック穴１４に係止されるものであれば、他の形状であってもよい。
【産業上の利用可能性】
【００３７】
本発明は、小型化、低背化に対応した電気コネクタであっても、振動などが生じても強固に接続され、接続を解除することも容易である電気コネクタとして利用することができる。
【図面の簡単な説明】
【００３８】
【図１】本発明の第一実施形態に係るリセプタクルコネクタの構造を示す図である。
【図２】本発明の第一実施形態に係るプラグコネクタの構造を示す図である。
【図３】本発明の第一実施形態に係るプラグコネクタとリセプタクルコネクタの斜視図である。
【図４】本発明の第一実施形態に係るプラグコネクタとリセプタクルコネクタとが嵌合した状態を示す図である。
【図５】図４（ｃ）のＡ−Ａ断面を示す図である。
【図６】リセプタクルコネクタとプラグコネクタとが嵌合する前の状態を示す図である。
【図７】リセプタクルコネクタとプラグコネクタとが嵌合する途中の状態を示す図である。
【図８】リセプタクルコネクタとプラグコネクタとの嵌合が完了した状態を示す図である。
【図９】本発明の第二実施形態に係るリセプタクルコネクタの構造を示す図である。
【図１０】本発明の第二実施形態に係るプラグコネクタの構造を示す図である。
【図１１】リセプタクルコネクタとプラグコネクタとが嵌合する前の状態を示す図である。
【図１２】ロック部とロック穴の形成の組み合わせを変形させた、他の実施形態を示す図である。
【図１３】ロック部とロック穴の形成の組み合わせを変形させた、他の実施形態を示す図である。
【図１４】ロック部とロック穴の形成の組み合わせを変形させた、他の実施形態を示す図である。
【符号の説明】
【００３９】
１  リセプタクルコネクタ
２  リセプタクル側端子
３  リセプタクル側ホールドダウン
３ａ  リセプタクル側ホールドダウン
３ｂ  リセプタクル側ホールドダウン
４  ロック部
５  突起
６  開口
７  凹部
８  突出部
１１  プラグコネクタ
１２  プラグ側端子
１３  プラグ側ホールドダウン
１３ａ  接続片
１４  ロック穴
１５  凸部
２１  リセプタクル側基板
２２  基板穴
３１  プラグ側基板
【図１】
0004675200.tif 000002
【図２】
0004675200.tif 000003
【図３】
0004675200.tif 000004
【図４】
0004675200.tif 000005
【図５】
0004675200.tif 000006
【図６】
0004675200.tif 000007
【図７】
0004675200.tif 000008
【図８】
0004675200.tif 000009
【図９】
0004675200.tif 000010
【図１０】
0004675200.tif 000011
【図１１】
0004675200.tif 000012
【図１２】
0004675200.tif 000013
【図１３】
0004675200.tif 000014
【図１４】
0004675200.tif 000015